(57)【要約】      （修正有）【課題】毛髪の特定部位が全体のカラーとは異なる色を有するようにする染色された毛髪を製造する方法、及びその方法によって製造された毛髪の提供。【解決手段】複数の毛髪に1次染色し、1次染色された複数の毛髪を一定単位の毛髪に区分し、一定単位の毛髪のうち染色しない領域を表示し、一定単位の毛髪で表示された領域を束ね、2次染色に用いる染色機に水を投入し、染色機に投入された水を加熱する。そして、加熱されたされた水に薬品と染料を投入し、一定単位の毛髪を染色機に投入された水と混ざるように投入し、染色機に投入された水の温度を漸進的に上げ、水の温度が一定温度まで上がると一定時間の間維持し、一定単位の毛髪の色相を確認し、一定単位の毛髪の色相が所定の色相でない場合上記を繰り返し、一定単位の毛髪の色相が所定の色相の場合、染色機に投入された水の加熱を中断して染色機から水を排水する。【選択図】図１
2016061008.tif 000002
【特許請求の範囲】
【請求項１】
複数の毛髪に1次染色をする第1段階;
1次染色された前記複数の毛髪を一定単位の毛髪に区分する第2段階;
前記一定単位の毛髪の中で染色しない領域を表示する第3段階;
前記一定単位の毛髪で表示された領域を束ねる第4段階;
2次染色に用いる染色機に水を投入する第5段階;
前記染色機に投入された水を加熱する第6段階;
加熱された前記染色機に投入された水に薬品と染料を投入する第7段階;
前記一定単位の毛髪を前記染色機に投入された水と混ざるように投入する第8段階;
前記染色機に投入された水の温度を漸進的に上げる第9段階;
前記染色機に投入された水の温度を一定温度まで上げた後、一定時間の間前記温度を維持する第10段階;
前記一定単位の毛髪の色相を確認し、前記一定単位の毛髪の色相が所定の色相でない場合、前記第7段階から第10段階を繰り返す第11段階; 及び
前記一定単位の毛髪の色相が所定の色相の場合、前記染色機に投入された水の加熱を中断して前記染色機から前記水を排水する第12段階;
を含むことを特徴とする染色された毛髪を製造する方法。
【請求項２】
前記第2段階は前記毛髪を2〜3グラム(gr)単位で区分することを特徴とする請求項1記載の方法。
【請求項３】
前記第6段階は、前記染色機に設けられたスチーム装置を用いて前記水を加熱することを特徴とする請求項1記載の方法。
【請求項４】
前記第7段階は、
薬品を計量して準備する第7-1段階と、
前記染色機に投入された水の水温が60℃に到達した後に、前記染色機に投入された水に前記薬品を投入する第7-2段階と、
計算された染料を計量して水に溶解した後、前記染色機に投入された水に投入する第7-3段階とをさらに含む請求項1記載の方法。
【請求項５】
前記第8段階は、前記一定単位の毛髪と前記染色機に投入された水とが混ざるように前記染色機に投入された水を掻き混ぜることを特徴とする請求項1記載の方法。
【請求項６】
前記第9段階は、前記染色機に投入された水の温度を100℃まで上げることを特徴とする請求項1記載の方法。
【請求項７】
前記第12段階は、前記染色機から排水される前記水とともに排出される毛髪を網で取り込むことを特徴とする請求項1記載の方法。
【請求項８】
染色が完了した前記一定単位の毛髪を水で洗浄する第13段階をさらに含む請求項1記載の方法。
【請求項９】
水で洗浄した前記一定単位の毛髪を、柔軟剤を溶解した50℃の水中で柔軟処理する第14段階をさらに含む請求項8記載の方法。
【請求項１０】
柔軟処理された前記一定単位の毛髪を乾燥する第15段階をさらに含む請求項9記載の方法。
【請求項１１】
前記第3段階は、前記一定単位の毛髪で染色しない領域に糸を束ねて表示することを特徴とする請求項1記載の方法。
【請求項１２】
薬品及び染料によって着色される着色部;及び
前記薬品及び染料が着色されない非着色部;を含むことを特徴とする毛髪。
【請求項１３】
前記非着色部に結合される結び目部材をさらに含む請求項12記載の毛髪。
【発明の詳細な説明】
【技術分野】
【０００１】
本発明は染色された毛髪を製造する方法、及びその方法によって製造された毛髪に関し、さらに詳細には、毛髪の特定部位が全体のカラーとは異なる色を有するようにする染色された毛髪を製造する方法、及びその方法によって製造された毛髪に関する。
【背景技術】
【０００２】
一般に、人の頭髪は平均的に直径が約0.05mm〜0.08mmと非常に細い。このような理由のため、かつらや増毛部材、または毛髪アクセサリー用取り付け毛髪に普通用いられる毛髪材料も人の毛髪のように細い。
【０００３】
このような毛髪材料には人の天然毛髪だけでなく、ナイロン、モードアクリル、ポリエステルなどのような合成樹脂繊維を加工することで得た人工毛が普通知られている。
【０００４】
このような毛髪材料を染色する時には、望む外観を得ることができるように直径約0.05mm〜0.08mmの細い毛髪材料に色を着色することと、各個人の嗜好による所定の色彩及び/または色調を有するようにするのに困難が伴う。その上、そのような着色毛髪材料は日光に露出されたときや洗浄されるときにも容易く変色されたり容易く脱色されないことが絶対的に必要であり、また、所望の最小限の堅固性が要求される。
【０００５】
また、毛髪材料の単一本の一部を残りの部分とは異なる色彩または色調に着色するときにも困難に直面するようになる。
【０００６】
さらに、毛髪材料の単一本を2部分以上に分け、各々異なる色を着色するには過度に複雑な過程が必要である。
【０００７】
特開平１−１７４６８３号公報には、従来の着色毛髪技術に対して記載されている。
【０００８】
このような従来の着色毛髪技術は、染色されてはならない毛髪材料の残りの部分が染色液に思いがけず浸漬されないように特別な注意を傾けなければならない。この方法で、例えば、毛髪材料の中央部分を5cm程度染色しなければならないとき、毛髪材料のこの部分だけが所定時間の間、正確に染色槽の染色液に浸漬されなければならない。
【０００９】
染色されてはならない毛髪材料の部分が染色液に思いがけず浸漬されないように毛髪材料を正確に維持するのが要求されるため、毛髪材料の所定の部分を正確に着色するための調節が難しいとの問題点がある。
【００１０】
さらに、幾多のまたは複数の色彩または色調を分離して毛髪材料に着色しなければならないとき、そのような着色を行う度ごとに、染色されなければならない毛髪の所定の部分を染色槽に浸漬させることが必要となり、よって工程の数が増加するようになる。
【００１１】
そこで、このような浸漬法を、部分着色が要求される場合、または毛髪の単一本を2つ以上の色彩または色調に着色することが要求される場合に適用するのは難しいとの問題点がある。
【発明の概要】
【発明が解決しようとする課題】
【００１２】
したがって、本発明は前記のような問題点を解決するために案出したものであって、特定部位にだけ色相が加えられないようにする染色された毛髪を製造する方法、及び当該方法によって製造された毛髪の提供にその目的がある。
【課題を解決するための手段】
【００１３】
本発明に係る染色された毛髪を製造する方法は、複数の毛髪に1次染色をする第1段階、1次染色された前記複数の毛髪を一定単位の毛髪に区分する第2段階、前記一定単位の毛髪のうち染色しない領域を表示する第3段階、前記一定単位の毛髪で表示された領域を束ねる第4段階、2次染色に用いる染色機に水を投入する第5段階、前記染色機に投入された水を加熱する第6段階、加熱された前記染色機に投入された水に薬品と染料を投入する第7段階、前記一定単位の毛髪を前記染色機に投入された水と混ざるように投入する第8 段階、前記染色機に投入された水の温度を漸進的に上げる第9段階、前記染色機に投入された水の温度を一定温度まで上げた後、一定時間の間前記温度を維持する第10 段階、前記一定単位の毛髪の色相を確認し、前記一定単位の毛髪の色相が所定の色相ではない場合、前記第7 段階を繰り返す第11 段階及び前記一定単位の毛髪の色相が所定の色相の場合、前記染色機に投入された水の加熱を中断して前記染色機から前記水を排水する第12 段階を含むことを特徴とする。
【００１４】
前記第2段階は、前記毛髪を2〜3グラム(gr)単位で区分することができる。
【００１５】
前記第6 段階は、前記染色機に設けられたスチーム装置を用いて前記水を加熱することができる。
【００１６】
前記第7段階は、薬品を計量して準備する第7-1段階と、前記染色機に投入された水の水温が60℃に到達した後に、前記染色機に投入された水に前記薬品を投入する第7-2段階と、計算された染料を計量して水に溶解した後、前記染色機に投入された水に投入する第7-3段階とをさらに含むことができる。
【００１７】
前記第8段階は、前記一定単位の毛髪と前記染色機に投入された水とが混ざるように前記染色機に投入された水を掻き混ぜることができる。
【００１８】
前記第9段階は、前記染色機に投入された水の温度を100℃まで上げることができる。
【００１９】
前記第12段階は、前記染色機から排水される前記水とともに排出される毛髪を網で取り込むことができる。
【００２０】
染色が完了した前記一定単位の毛髪を水で洗浄する第13段階をさらに含むことができる。
【００２１】
水で洗浄した前記毛髪を、柔軟剤を溶解した50℃の水中で柔軟処理する第14段階をさらに含むことができる。
【００２２】
柔軟処理された前記一定単位の毛髪を乾燥する第15段階をさらに含むことができる。
【００２３】
本発明に係る染色された毛髪を製造する方法によって製造された毛髪は、薬品及び染料によって着色される着色部、並びに前記薬品及び染料が着色されない非着色部を含むことを特徴とする。
【００２４】
前記非着色部に結合される結び目部材をさらに含むことができる。
【発明の効果】
【００２５】
以上のような本発明によると、毛髪中の特定部位だけ着色されないようにすることによって所望の部位だけ頭皮の色と類似の根元染色となるようにする長所がある。
【００２６】
以上のような本発明によると、従来に比べて比較的に簡単な工程で毛髪に部分染色ができるようにする効果がある。
【００２７】
以上のような本発明によると、部分着色方法が人毛及び特殊人工毛(ポリエステル)に適用される長所がある。
【図面の簡単な説明】
【００２８】
【図１】本発明の一実施例に係る染色された毛髪を製造する方法を順次に示したフローチャートである。
【図２】本発明の一実施例に係る染色された毛髪を製造する方法によって製造された毛髪の構成を概略的に示した図である。
【図３】図２に結び目部材が結合された構成を概略的に示した図である。
【発明を実施するための形態】
【００２９】
以下、図を参照しつつ、本発明の好ましい実施例に対する構成及び作用を詳しく説明する。また、下記実施例は幾つか他の形態に変形可能であり、本発明の範囲が下記実施例に限定されるものではない。
【００３０】
図1は、本発明の一実施例に係る染色された毛髪を製造する方法を順次に示したフローチャートである。
【００３１】
図1に示す通り、本発明の好ましい実施例に係る染色された毛髪を製造する方法は、複数の毛髪に基本的な1次染色をする第1段階S1を含む。
【００３２】
さらに、前記複数の毛髪は、人毛または人工毛(ポリエステル)などの何れか一つ以上であり得る。
【００３３】
さらに、本発明の好ましい実施例に係る染色された毛髪を製造する方法は、1次染色された前記複数の毛髪を一定単位に区分する第2段階S2を含む。
【００３４】
このとき、好ましくは、前記一定単位は2〜3グラム(gr)単位であり得るが、状況によって適切に変更され得る。
【００３５】
さらに、本発明の好ましい実施例に係る染色された毛髪を製造する方法は、前記第2段階S2で前記一定単位に区分された毛髪で部分染色しない非着色部5を測定し、測定された非着色部5を糸などを用いて同一の長さに束ねて表示する第3段階S3を含む。
【００３６】
本発明の好ましい実施例に係る染色された毛髪を製造する方法は、前記毛髪1で表示された部位を道具を用いて束ねる第4段階S4を含む。
【００３７】
ここで、前記道具は紐タイ、紐、バンドなどのような結び目部材7であり得る。
【００３８】
さらに、本発明の好ましい実施例に係る染色された毛髪を製造する方法は、2次染色のための準備を完了し、2次染色に用いる染色機を選定し選定された染色機に必要量の水を投入する第5段階S5を含む。
【００３９】
さらに、本発明の好ましい実施例に係る染色された毛髪を製造する方法は、前記染色機に設けられたスチームのスチームバルブを開いて前記染色機に投入された水を加熱する第6段階S6を含む。
【００４０】
さらに、本発明の好ましい実施例に係る染色された毛髪を製造する方法は、前記第6段階S6で水が加熱されると、加熱された水に薬品と染料を投入する第7段階S7を含む。
【００４１】
一方、前記第7段階S7は、必要な薬品を計量して準備する第7-1段階と、前記水の水温が60℃に到達した後に前記薬品を投入する第7-2段階と、計算された染料を計量して水に充分に溶解した後、前記染色機に投入する第7-3段階とをさらに含むことができる。
【００４２】
さらに、本発明の好ましい実施例に係る染色された毛髪を製造する方法は、一定単位の毛髪を前記染色機に投入された水と混ざるように前記染色機に投入する第8段階S8を含む。
【００４３】
ここで、前記一定単位の毛髪が前記染色機に投入され、前記染色機に投入された水に溶解された薬品及び染料とよく混ぜて染色が均一になるように前記水を掻き混ぜることが良い。
【００４４】
さらに、本発明の好ましい実施例に係る染色された毛髪を製造する方法は、前記水の温度を100℃まで漸進的に上げる第9段階S9を含む。
【００４５】
さらに、本発明の好ましい実施例に係る染色された毛髪を製造する方法は、前記水の温度を一定温度(100℃)まで上げた後、前記染料が前記一定単位の毛髪に充分に固着するように一定時間の間前記温度を維持する第10段階S10を含む。
【００４６】
さらに、本発明の好ましい実施例に係る染色された毛髪を製造する方法は、前記一定単位の毛髪の着色色相を確認し、前記一定単位の毛髪の色相が所定の要求された色相ではない場合、要求された色相が得られるまで前記第7段階S7から第10段階S10を繰り返す第11段階S11を含む。
【００４７】
もし、前記一定単位の毛髪の色相が所定の要求された色相の場合、前記水の加熱を中断して前記染色機から前記水を排水する第12段階S12を含む。
【００４８】
このとき、前記染色機から排水される前記水とともに排出される毛髪1を網で取り込んでリサイクルするようにすることが好ましい。
【００４９】
さらに、本発明の好ましい実施例に係る染色された毛髪を製造する方法は、染色が完了した前記一定単位の毛髪を水で洗浄する第13段階をさらに含むことができる。
【００５０】
また、水で洗浄した前記一定単位の毛髪を、柔軟剤を溶解した50℃の水中で柔軟処理する第14段階S14をさらに含むことができる。
【００５１】
併せて、柔軟処理された前記一定単位の毛髪を乾燥する第15段階S15をさらに含むことができる。
【００５２】
図2は、本発明の一実施例に係る染色された毛髪を製造する方法によって製造された毛髪の構成を概略的に示した図であり、図3は、図2に結び目部材が結合された構成を概略的に示した図である。
【００５３】
図2から図3に示す通り、本発明の一実施例に係る染色された毛髪を製造する方法によって製造された毛髪1は、薬品及び染料によって着色される着色部3、並びに前記薬品及び染料が着色されない非着色部5を含む。
【００５４】
さらに、前記毛髪1に非着色部5を形成するために、前記毛髪1の着色過程で前記非着色部5が着色されないよう、前記非着色部5をカバーするように結合される結び目部材7をさらに含むことができる。
【００５５】
以上のような本発明によると、毛髪の中で特定部位だけ着色されないようにすることにより、望む部位だけ頭皮の色と類似の根元染色がされるようにする長所があり、従来に比べて比較的に簡単な工程で毛髪に部分染色を行うことができるようにする効果があり、人毛及び特殊人工毛(ポリエステル)に適用される長所がある。
【００５６】
前述したところのように、本発明の好ましい実施例を参照して説明したが、当該技術分野の熟練した当業者であれば、請求の範囲に記載された本発明の思想及び領域から脱しない範囲内で、本発明を多様に修正及び変更可能であることを理解することができるはずである。
【符号の説明】
【００５７】
１    毛髪
３    着色部
５    非着色部
７    結び目部材
【図１】
2016061008.tif 000003
【図２】
2016061008.tif 000004
【図３】
2016061008.tif 000005